(57)【要約】【課題】設備が大型とならず、移動および圧入作業が簡単、且つ迅速にできる細径鋼管を用いた地耐力増強装置を提供する。【解決手段】施工現場において、予め設定された位置に、揺動テーブル３に貫通した細径鋼管１２を、前記揺動テーブル３上に設置された２本の案内車１５に挟持し、該各案内車１５を回転させると共に、前記揺動テーブル３を揺動することにより、前記細径鋼管１２を施工地盤１４中に回転圧入する。【選択図】図１
2004068400.tif 000002
【特許請求の範囲】
【請求項１】
建設用トラクターのアームの先端に円盤状の揺動テーブルを保持する環状保持体が、水平状態を保持して固定され、
前記環状保持体は、その内周壁面に、前記揺動テーブルの外周縁上下面部に摺接して保持すると共に、該揺動テーブルの水平方向の揺動運動が可能なるよう、該揺動テーブルの厚さとほぼ同高のガイド溝を周設して形成され、
前記環状保持体は、前記建設用トラクターのアーム側に突出部が設けられ、且つ該突出部の先方端部が該アームの先端部に設けられた軸支部に軸支されると共に、前記アームの前面側中央部に基部を軸支された油圧シリンダーのピストンロッドの先端部が、前記環状保持体上の軸支部に軸支して形成され、
前記揺動テーブルには、中央部に細径鋼管を遊挿する貫通孔が穿設され、且つ前記環状保持体の上面の貫通孔の両側には、該貫通孔を挟むようにして、前記細径鋼管を挟持する案内車が、それぞれの油圧モータによって同調して内側方向に回転自在なるようにそれぞれ装置され、
前記各案内車は、前記細径鋼管の両側半周面に沿うよう半円状凹部を外周面に周設すると共に、該各半円状凹部には、対称に、先端に尖鋭部を有する鋼材の細片等より成る滑り止め材により、回転方向に下り傾斜した湾曲突条が多数本所定間隔を有して突設して形成され、
更に、前記揺動テーブルに、水平な揺動運動を付与する揺動手段を、前記突出部に設置したことを特徴とする細径鋼管を用いた地耐力増強装置。
【発明の詳細な説明】
【０００１】
【発明の属する技術分野】本発明は、複数本の細径鋼管を近接して打設して、群杭としての作用を持たせて、地耐力の増強をはかる細径鋼管を用いた地耐力増強装置に関するものである。
【０００２】
【従来の技術】従来、細径鋼管を用いた地耐力増強方法およびその装置としては、本発明者の発明に係る特許第３２０８２６５号公報に開示されたものが公知であった。
【０００３】
【発明が解決しようとする課題】前記従来公知の特許第３２０８２６５号公報に開示された地耐力増強方法およびその装置によれば、建柱車にリーダーを装置する必要があるため、設備が大掛かりとなり、更にセンターピンで位置決めした後、前記リーダーを前記センターピンおよび保持体の回転部を中心として僅かだけ回動させて、細径鋼管の圧入位置まで移動させて圧入作業をなし、以下同様の操作を繰返して各細径鋼管の圧入作業をするので、作業に手間がかかり、施工コストが高価となるという課題があった。
【０００４】本発明は、前記課題を解決すべくなされたもので、全体の設備が大型にならず、また細径鋼管の圧入位置への移動および圧入作業を簡単にできる細径鋼管を用いた地耐力増強装置を提供しようとするものである。
【０００５】
【課題を解決するための手段】本発明は、建設用トラクターのアームの先端に円盤状の揺動テーブルを保持する環状保持体が、水平状態を保持して固定され、
前記環状保持体は、その内周壁面に、前記揺動テーブルの外周縁上下面部に摺接して保持すると共に、該揺動テーブルの水平方向の揺動運動が可能なるよう、該揺動テーブルの厚さとほぼ同高のガイド溝を周設して形成され、
前記環状保持体は、前記建設用トラクターのアーム側に突出部が設けられ、且つ該突出部の先方端部が該アームの先端部に設けられた軸支部に軸支されると共に、前記アームの前面側中央部に基部を軸支された油圧シリンダーのピストンロッドの先端部が、前記環状保持体上の軸支部に軸支して形成され、
前記揺動テーブルには、中央部に細径鋼管を遊挿する貫通孔が穿設され、且つ前記環状保持体の上面の貫通孔の両側には、該貫通孔を挟むようにして、前記細径鋼管を挟持する案内車が、それぞれの油圧モータによって同調して内側方向に回転自在なるようにそれぞれ装置され、
前記各案内車は、前記細径鋼管の両側半周面に沿うよう半円状凹部を外周面に周設すると共に、該各半円状凹部には、対称に、先端に尖鋭部を有する鋼材の細片等より成る滑り止め材により、回転方向に下り傾斜した湾曲突条が多数本所定間隔を有して突設して形成され、
更に、前記揺動テーブルに、水平な揺動運動を付与する揺動手段を、前記突出部に設置するという手段
を採用することにより、上記課題を解決した。
【０００６】
【発明の実施の形態】本発明は、細径鋼管を用いた地耐力増強装置に関するものであり、施工地盤において、予め設定された位置に、揺動テーブルを貫通した細径鋼管を、前記揺動テーブル上に設置された２本の案内車に挟持し、該各案内車を回転させると共に、前記揺動テーブルを揺動することにより、前記細径鋼管を施工地盤中に回転圧入して、地耐力を増強するものである。以下、本発明装置を図面に基づいて詳細に説明する。
【０００７】図１は、本発明装置全体の概略を示す正面図であり、建設用トラクター（クローラートラクター）１のアーム２の先端に円盤状の揺動テーブル３を保持する環状保持体４が、水平状態を保持して固定されている。
【０００８】前記環状保持体４は、その内周壁面に、前記円盤状の揺動テーブル３の外周縁上下面部に摺接して保持すると共に、該揺動テーブル３の水平方向の揺動運動が可能なるよう、該揺動テーブル３の厚さとほぼ同高のガイド溝５を周設して形成されている。
【０００９】前記環状保持体４は、前記建設用トラクター１のアーム２側に突出部６が設けられ、且つ該突出部６の先方端部が該アーム２の先端部に設けられた軸支部７に軸支されると共に、前記アーム２の前面側中央部に基部を軸支８された油圧シリンダー９のピストンロッド１０の先端部が、前記環状保持体４上に設けられた軸支部１１に軸支されている。
【００１０】前記環状保持体４のガイド溝５に外周縁部を装入する円盤状の揺動テーブル３は、中央部に細径鋼管１２を遊挿する貫通孔１３が穿設され、且つ前記環状保持体４の上面の貫通孔１３の両側には、該貫通孔１３を挟むようにして、前記細径鋼管１２を挟持して、地盤１４中に回転圧入するガイドとなる案内車１５が、それぞれの油圧モータ１６によって回転自在なるようにそれぞれ装置されている。前記各油圧モータ１６は同調して、それぞれ内側方向に回転するように形成されており、これにより各案内車１５もそれぞれ内側方向に回転する。
【００１１】前記各案内車１５は、前記細径鋼管１２の両側半周面に沿うよう半円状凹部１７を外周面に周設し、更に、該各半円状凹部１７に、尖鋭部を有する鋼材の細片等より成る滑り止め材１８を溶着して、断面三角形状とすると共に、回転方向に下り傾斜した湾曲突条１９を多数本所定間隔を有して突設して形成されている。前記湾曲突条１９は、各案内車１５において、それぞれ対称になるよう湾曲して形成され、且つ該湾曲突条１９は、細径鋼管１２の外周面に、両側方向から圧接することにより、尖鋭部を有する滑り止め材１８より成る湾曲突条１９の上端縁が、前記細径鋼管１２の外周面部に喰い込む形となるのでノンスリップとなる。
【００１２】そして、前記揺動テーブル３に水平な揺動運動を付与する揺動手段２０が、前記突出部６に設置されている。前記揺動手段２０は、特に限定する必要はないが、図２・図３に示すように構成することが推奨される。
【００１３】すなわち、突出部６に固設された油圧モータ２１の軸２２の先端に固設された傘歯車２３に噛合する傘歯車２４を前記突出部６に回転自在に設けられた回転軸２５に固設すると共に、該回転軸２５上に回転円板２６を固定し、更に、前記回転円板２６の偏心位置に偏心軸２７を突設すると共に、前記揺動テーブル３の上面の外周面にピン２８を突設して、前記偏心軸２７にクランク２９の一方端を軸支する一方、前記ピン２８に揺動杆３０の一方端を軸支すると共に、前記クランク２９と揺動杆３０のそれぞれの他方端部を軸支３１して形成されている。そして、前記油圧モータ２１を回転させると、前記クランク２９と揺動杆３０により、揺動テーブル３が水平状態で左右方向への揺動運動を繰返す。
【００１４】前記揺動テーブル３が水平状態で左右方向への揺動運動を繰返すことにより、前記細径鋼管１２に強固に挟持された各案内車１５の湾曲突条１９と細径鋼管１２との摩擦係数を間欠的に減じて、該細径鋼管１２の地盤１４中への回転圧入を促進する。
【００１５】前記構成より成る本発明の作用について説明する。先ず、地耐力増強を施す施工現場に建設用トラクター１を移動させ、該建設用トラクター１のアーム２に揺動テーブル３を備えた環状保持体４を取付ける。そして、細径鋼管１２を人力等により、２個の案内車１５間から貫通孔１３に挿通した後、前記建設用トラクター１のアーム２を作動して、前記細径鋼管１２を回転圧入する地盤１４面上へ移動させる。
【００１６】然る後、油圧モータ１６を作動させて、各案内車１５を同調して、それぞれ矢印で示す内側方向へ回転させることにより、滑り止め材１８より成る複数本の湾曲突条１９が前記細径鋼管１２の外周面に回転しながら喰い込んで、該細径鋼管１２に回転力と下方への押圧力を付与すると共に、油圧モータ２１を作動させて揺動手段２０を介して、揺動テーブル３を水平状態で、左右方向への揺動運動を繰返すことにより、前記細径鋼管１２に強固に挟持された各案内車１５の湾曲突条１９と細径鋼管１２との摩擦係数を間欠的に減じて、該細径鋼管１２の地盤１４中への回転圧入を促進する。すなわち、細径鋼管１２は各案内車１５と揺動テーブル３とにより、回転力と押下力が付与され、施工地盤１４中に回転しながら圧入するのである。
【００１７】前記操作により細径鋼管１２を地盤１４中に回転圧入下後、次の施工地盤１４上に、アーム２を移動させて、次の細径鋼管１２を地盤１４中に回転圧入するという前記と同様の操作を繰返すことにより、地耐力の増強を図ることができる。
【００１８】
【発明の効果】本発明は上述のようであるから、従来のように大型の建設機械である建柱車ではなく、建設用トラクターを用いるので、全体の設備が大型にならず、従って細径鋼管の回転圧入位置への移動および回転圧入作業が簡単、且つ迅速にできる。
【図面の簡単な説明】
【図１】本発明細径鋼管を用いた地耐力増強装置の概略正面図である。
【図２】本発明細径鋼管を用いた地耐力増強装置の概略正面図である。
【図３】本発明細径鋼管を用いた地耐力増強装置を構成する揺動テーブルと環状保持体部分の平面図である。
【図４】本発明細径鋼管を用いた地耐力増強装置における案内車の拡大平面図である。
【図５】本発明細径鋼管を用いた地耐力増強装置における案内車の拡大断面図である。
【図６】本発明細径鋼管を用いた地耐力増強装置の使用状態を示す要部の正面図である。
【符号の説明】
１　建設用トラクター、　２　アーム、　３　揺動テーブル、　４　環状保持体４、　５　ガイド溝、　６　突出部、　７　軸支部、　８　軸支、　９　油圧シリンダー、　１０　ピストンロッド、　１１　軸支部、　１２　細径鋼管、　１３　貫通孔、　１４　地盤、　１５　案内車、　１６　油圧モータ、　１７　半円状凹部、　１８　滑り止め材、　１９　湾曲突条、　２０　揺動手段、　２１油圧モータ、　２２　軸、　２３・２４　傘歯車、　２５　回転軸、　２６　回転円板、　２７　偏心軸、　２８　ピン、　２９　クランク、　３０　揺動杆、　３１　軸支。
【図１】
2004068400.tif 000003
【図２】
2004068400.tif 000004
【図３】
2004068400.tif 000005
【図４】
2004068400.tif 000006
【図５】
2004068400.tif 000007
【図６】
2004068400.tif 000008